(57)【要約】【課題】体質的且つ物理学的な要素と関連する脊椎のねじれを最大限に活用して座っている姿勢で背骨を効率よく開放することを可能とする腰掛装置を提供する。【解決手段】支持部と、その支持部の頂部に設けられた基部と、その基部の上に取り付けられた座面とを備える腰掛装置であって、その座面は、前面に配置され前記基部に固定された水平軸に回動可能に取り付けられた２つの部分から成り、前記座面の各部分は、その水平軸に関するそれら各部分の回動動作を調整するアジャスタを備えていることを特徴とする。
2005516709.tif 000002
【特許請求の範囲】
【請求項１】
支持部と、その支持部の頂部に設けられた基部と、その基部の上に取り付けられた座面とを備える腰掛装置であって、
その座面は、前面に配置され前記基部に固定された水平軸に回動可能に取り付けられた２つの部分から成り、前記座面の各部分は、その水平軸に関するそれら各部分の回動動作を調整するアジャスタを備えている
ことを特徴とする腰掛装置。
【請求項２】
背もたれを支えるブラケットを備えた背部を有し、その背もたれは、前面に配置され、前記ブラケットに固定される水平軸に回動可能に取り付けられた２つの支持部品から成り、前記背もたれの各支持部品はその水平軸に関する回動動作を調整するアジャスタを備えている
ことを特徴とする請求項１に記載の腰掛装置。
【発明の詳細な説明】
【技術分野】
【０００１】
本発明は家具、特に腰掛装置に関し、オペレータ、運行等管理者、自動車運転手、列車運転士、パイロットその他の作業椅子として、あるいは、家庭でも、種々の施設で使用される治療用の家具（椅子、スツール、学校用家具、ベンチ等）として使用可能である。
【背景技術】
【０００２】
すべての内臓、中枢神経系、末梢神経系、自律神経系、血管系、リンパ系、及び筋肉靭帯器官は、多かれ少なかれ人体の骨格と関係がある。生体力学の視点からみると、人間の頭部、頚部、胴部及び四肢は、骨及び筋肉の人体構造による平衡運動領域（statokinematic regions）で結合される。一番重要な骨格構造は、脊柱すなわち背骨であると考えられる。背骨は、保護したり、支持したり、及び運動を起こさせたりする役割を果たし、構造を形成する器官の中心的なものである。生体力学の視点からみると、背骨、骨盤、及び下肢は、平衡運動する部位全体を現す。  
これらの器官系の一部の障害は、他の組織の機能障害につながる。
【０００３】
器官全体として機能する脊柱は、一連の連結された脊椎可動節である。脊椎可動節は、２つの隣接する椎骨によって連結されていて、その間には椎間板と筋肉靭帯器官が位置する。脊椎可動節内の運動は、微細運動の領域だけでなく、正常範囲で、あるいは範囲が減少し、あるいは増大した状態でも行うことができる（関節モデル）。背骨は、矢状面にいわゆる生理的湾曲（頚部及び腰部の脊柱前湾症、胸部及び仙尾骨の脊柱後湾症）を有する。前額面の湾曲は通常、すなわち病理学では、側湾症とされる。ただ、前額面の最小限度の湾曲はすべての人間に見られるものであって異常ではないということが、多くの研究から証明されている。水平面でのこのような障害の組合せは、骨盤に対して肩甲帯の構造が非対称位置にある、すなわち「ねじれ」とされる。
【０００４】
骨盤は、仙骨、癒着性のある一対の腸骨、坐骨及び恥骨を一つの塊にあわせたもので、恥骨結合と左右の仙腸関節の３つの関節を有する。これらの関節は、正常可動域で、あるいは制限された可動域で、もしくは拡大された可動域で動作することができる（関節モデルの微細運動）。  
骨盤と脊柱との間に配置される仙骨の位置によって、骨盤（傾斜、外側傾斜、屈曲）と脊柱（全ての平面における湾曲の強度）の位置が決められる。  
脊椎、骨盤骨及び下肢の形態特性は、「らせん」がベースとなっており、人間の筋肉は、らせんの法則に従って、相互に作用する特殊な筋肉のループに統合されると判明した。
【０００５】
人間の運動支持器官への構成的アプローチには、体質的に決まるタイプがある。それらは、形態学的非対称性及び機能的非対称性を通して認識される（「Ｃ」字形及び「Ｓ」字形の脊柱彎曲、脊柱の「ねじれ」のタイプ、比較的および絶対的短下肢、「進む」脚（"leading” leg）、「飛び上がる」脚（"jumping” leg）、「支持する」脚（"supporting” leg）その他）。
【０００６】
体の位置を保持したり（静的）、体を動かしたり（動的）すると、内臓系、神経系、血管系及びリンパ系の組織の位置と同様に、生理的彎曲及び前額面のずれの大きさが変化する。
【０００７】
一般的に、運動支持器官の機能的非対称性及び脊椎可動節における可動性の生体力学の特性は、人間の活動を助ける領域内（家具、工具、衣服その他）にあるとは考えられていない。
【０００８】
臀部によって支持される座った姿勢では、判断要素には、すべての平面における骨盤構造の位置の非対称性、その他の筋肉群、特に腹筋（prelum abdominale）及び横隔膜筋の腸腰筋や臀筋の機能の切り替えが含まれる。付加的な支持部（椅子の背もたれ等）を有する腰掛装置は、脊柱の一部の筋肉の重力に抗する機能を切り替える。よって、座っている姿勢（静止）では、脊柱の保護兼支持構造形成特性及び脊椎−骨盤−下肢という生物動力学のつながり全ては変化し、背骨の骨軟骨の構造、特には腰の脊椎可動節への荷重が増加する。
【０００９】
地球物理学的要素が人体にもたらす影響は、身体に特有の構造的非対称性及び機能的非対称性を考慮すると、長いピッチのねじの形態として表すことができる。身体構造はこれに対応して、平衡状態を維持するために人体を地球に押し付けるねじ効果に対抗する。ばねとらせんは、この条件をほぼ満たしている。
【００１０】
特許文献１は、座った姿勢での身体と首の最適な位置を設定する装置であって、前面を保持する前額面にほぼ四角の形をした支持部品と、ケース及び固定手段を備え、種々の物理特性を有する背支持台とを備えた装置を開示する。
【００１１】
特許文献２は、対象形の、あるいは飛行機の翼の断面形をした二つの台を備え、水平断面の彎曲の深さが０〜５０ｃｍで、台の硬さの比が１：１．２〜１：３の支持部品を有する類似の装置を開示する。また、背支持台には２〜８ｃｍ幅で０．５〜３ｃｍの深さの垂直の溝を有する。
【００１２】
これらの装置は、座っている姿勢での腰の筋肉の緊張を軽減することができるが、出願人がうたっているような、「身体と首の最適な生体力学」を提供するには程遠い。
【００１３】
特許文献３は、支持部を有し、その頂部には基部が設けられ、その上に座面が取り付けられている腰掛装置を開示する。この腰掛装置は更に、背もたれと、頭受け、肘掛、足置き、腕置き及びシートベルトを備える。オペレータは座った状態で作業をし、リクライニングさせたり背を倒したりした姿勢で休息することができ、身体運動を行うこともできる。
【００１４】
この技術的解決策を本発明のプロトタイプとして採用している。
【００１５】
この技術的な解決策は、座った姿勢の疲労性の緩和を可能とするが、全てのその他の公知の技術的な解決策と同様に、人体の運動支持器官や他の系の生体力学が持つ特異性を考慮していない。すなわち、微細運動（関節モデル）域内での骨と軟骨からなる靭帯の接合部の運動性や体質から判断される人間の運動支持器官の形態学的非対称性及び機能的非対称性、臀部の上に載っている座った姿勢では、腰椎前彎（腸腰筋）を形成する主な筋肉は弛緩した状態で、殿筋とprelum腹筋が切り替わること、前方あるいは側方への骨盤の傾斜による骨盤の「ねじれ」や接触が起こる支持の位置が不均衡に分布していること、生物運動力学の連鎖から下肢及び骨盤が切り替わることによって、脊柱、特に脊柱の腰部分への荷重が急激に増加することである。
【００１６】
従って座った姿勢は、脊柱に対して大きな荷重がかかるとされ、特に背骨の後彎部位に対して有害であることは特筆すべきことである。すなわち、
特に脊椎の腰部分である椎間板や、脊柱の体位の筋肉に対する荷重が増加したときにやや前傾する、
腹筋の神経切除のため、腹腔内圧が減少した、
結合組織の固定機能が低い（過可動性関節症の）人は、腹腔の内臓の下降、呼吸障害、胆汁流出障害等を経験する、
小骨盤内のうっ血作用が起こると、小骨盤の器官に疾病すなわち機能障害が生じる（胃腸管の下部の機能不全等だけでなく、痔疾、前立腺炎、性交不能症、冷感症、子宮内膜炎他）、
下肢に向かって神経動脈の機械的遮断が起こる、
頭部を垂直な位置に保つ必要があるため、後頭下部の筋肉に荷重や痙性性の反応が起こり、それによって、脳幹や脳底部といった器官の生命機能の制御部を備える部分へ供給する脳血管における椎骨脳底系の血液循環障害が生じる、
二箇所の支持部（座面および背もたれ）を備えて座っても、荷重はそれ程明白にはならないものの、体位の筋肉の一部が「切り替えられ」、それによって動作中の体位の筋肉及び脊椎運動分節に対して、特に腰部分に対して不均等な荷重の増加をもたらす、
脊椎の骨組織は、長時間にわたって（背もたれから）圧力を受けるので、脊椎運動分節あるいは脊椎運動分節の機能部分における可逆的な制限を構成する。
【特許文献１】フランス特許公開２５８９７０１
【特許文献２】ロシア審査済登録特許２１７０５３９
【特許文献３】ロシア審査済登録特許２０６３６４６
【発明の開示】
【発明が解決しようとする課題】
【００１７】
本発明は、個人の形態学的非対称性及び機能的非対称性を考慮することによって、座っている姿勢で背骨を効率よく開放することを可能とし、それによって他の器官や器官系、とりわけ小骨盤の器官の働きを正常にし、体質的且つ物理学的な要素と関連する背骨のねじれを最適化する腰掛装置を開発することを目的とする。
【課題を解決するための手段】
【００１８】
本発明によると、発明に係る腰掛装置は、支持部と、その支持部の頂部に設けられた基部と、その基部の上に取り付けられた座面とを備える腰掛装置であって、その座面は、前面に配置され前記基部に固定された水平軸に回動可能に取り付けられた２つの部分から成り、前記座面の各部分は、その水平軸に関するそれら各部分の回動動作を調整するアジャスタを備えている。前記座面には、背部と、背もたれを支えるブラケットを設けることができ、その背もたれは、前面に配置され、前記ブラケットに固定される水平軸に回動可能に取り付けられた２つの支持部品から成り、前記背もたれの各支持部品はその水平軸に関する回動動作を調整するアジャスタを備えている。
【００１９】
出願人は、クレームされた発明と同一の技術的解決法についてのデータを含むいずれの情報源も見出していないので、出願人は、本発明が新規性の基準を満足すると結論することができる。
【００２０】
特許請求の範囲に記載された発明の本質的な特徴を実現することによって得られる直接的な技術結果は、この装置が、ねじれといった背骨の自然で正常な生理学的状態を維持することが可能であることである。すなわち、それは腰掛装置を開発するために初めて採用された新規な原理であって、プロトタイプを含む公知の装置すべてが背骨のねじれ、つまり歪みを除去することに関連するのに対して、ねじれを維持して脊柱の負担を軽減するという原理である。
【００２１】
その結果、この装置の試作品を使用すると、座っている姿勢での筋肉疲労は大幅に軽減され、長時間座り続けても、姿勢あるいは位置を（もたれたり、横たえたりするために）変えたりする必要がない。支持運動器官への過負荷の防止は、種々の病変に見舞われる危険性を大幅に軽減する。
【００２２】
出願人は、技術的に達成できる結果に本発明の他と異なる特徴が与える影響について、いかなるデータも見出していないので、特許請求の範囲に記載された工学上の解決策が進歩性の基準を満足すると結論づけることができる。
【発明を実施するための最良の形態】
【００２３】
腰掛装置は、基部を備える。例（図1、２，３）によると、基部の下には、支持部回転部品３が下の方に設けられた横棒２を有する垂直に伸縮自在な支持部１が含まれる。平行基部４は、支持部１の上端部と接続されている。座面は基部４に取り付けられていて、２つの部分から成って機能する。それは左部分５及び右部分６であって、軸７に回転するように配置されている。その軸７の端部は、ベース４の穴に回転可能に配置されている。座面の左部分５には軸７回りの回転を調整するアジャスタ８及び９が備えられる。同様に、座面の右部分６にはアジャスタ１０および１１が備えられる。
【００２４】
この装置には背もたれが設けられており、その背もたれは、ピボット１３によって支持部１の頂部と接続される伸縮自在なブラケット１２と、２つの支持部品、右支持部品１４及び左支持部品１５を有する背もたれ支持部とを備える。支持部品１４及び１５は、前面に配置され、ブラケット１２の上部に固定される水平軸１６に回動するように取り付けられる。その結果、軸１６は軸７に対して平行になる。支持部品１４は、軸１６に対して回転動作をするアジャスタ１７及び１８を備え、また支持部品１５はアジャスタ１９及びアジャスタ２０を備える。
【００２５】
ある実施例においては、回転動作するアジャスタ８、９，１０，１１，１７，１８，１９及び２０は、ばねを備えるねじ込みのペアである。ばねはねじを含み、ブラケット１２の頂部と支持部品１４及び１５の間に配置されるのと同様に、それぞれ基部４と座面の部分５及び６の間に配置される。
【００２６】
ある特定の実施例においては、この装置には肘掛２１及び２２が設けられ、引き上げ可能なアジャスタ２３及び２４と前記肘掛を移動させるためのアジャスタ２５及び２６が備えられる。伸縮自在な支持部１の頂部の引き上げや回転の調整は、アジャスタ２７を利用することによって行うことができ、伸縮自在なブラケット１２の頂部の引き上げや回転の調整は、アジャスタ２８で行うことができ、背中の角度は、アジャスタ２９で調整することができる。
【００２７】
図４に示され、本発明の請求項の最初の節に示されている特徴に対応する変形例では、支持部は、水平な橋状部３１にしっかりと固定された一組の垂直な脚部３０を表している。この変形例では、腰掛装置はスツールまたはベンチあるいはその他の家具であり、座る目的で設計されており、背中に支えがない。
【００２８】
装置は以下のように作用する。ある人物が椅子を勧められると、右臀部は座面の右部分６に、左臀部は座面の左部分５に置かれる。座面の位置は、アジャスタ２７を用いてその人物の身長によって調整され、その人物の伸長に応じた背の支えの適当な位置は、アジャスタ２８によって与えられる。この装置をさらに調整するには、どちらのタイプ（右利きか左利きか）がその人物の支持運動器官に対応するかを確認する必要がある。これは一般的に、既知の試験を行って予備的に判断される。左利きの人の左坐骨結節は右坐骨結節より若干低く、前方にずれていて、右坐骨結節は、左坐骨結節より高く、後方にずれている。逆に、右利きの人の左坐骨結節は、右坐骨結節より高く、後方にずれている。
【００２９】
座面の部分５及び６の相対的な角度位置と坐骨結節の左右部分との接点の高さはそれぞれ、アジャスタ８，９，１０，１１を用いて調整する。図２に示す座面の部分５及び６は右利きの人に対応している。すなわち、左坐骨結節が座面の左部分５に接触する接点３２は、右坐骨結節が座面の右部分６に接触する接点３３よりも高さｈだけ高い位置にあり、接点３２は接点３３に対して後方にずれている。
【００３０】
座面の部分５及び６の相対的な位置と、接点３２及び３３の位置は、脊柱のねじれの度合いと、それに結合している筋肉の張力の程度をそれぞれ一定に制御することによって調整される。この制御は、周知の脊柱後側弯の療法によって行われる。調整の過程で背骨の正常な位置（生理的なねじれ）が得られると、アジャスタ８，９，１０，１１のねじを固定具によって固定する（図示せず）。
【００３１】
図１，２及び３によると、脊柱の左右からの背中の一部は、特定の支持部品１４及び１５にそれぞれ接触する。その位置は、アジャスタ１７，１８，１９，２０を用いることによって調整される。軸１６は第６胸椎及び第９胸椎を含めてその間のレベルに配置され、上体の回転の生体力学的な中心は、体の下部分に対してこの範囲内に正確に配置される。実際には、下部分には脊柱のねじれは生じない。支持部品１４及び１５の位置を調整すると、体の胸部はそれに支えられ、ねじれた状態で、さらに脊椎を正常な位置に支持することができる。この特許請求の範囲に記載した装置によって、典型的な既知のほぼ全ての腰掛装置に見られる骨盤の２つの部分の相互回転や、脊柱のねじれ戻りの傾向は、排除される。
【００３２】
この結果、筋肉の収縮が大幅に減少し、腹壁の筋肉や、骨盤底の横隔膜の好ましくない変化を防ぐことができ、また、それぞれ呼吸器、血液循環、胃腸管及び尿生殖器まわりの機能障害も防ぐことができる。
【産業上の利用可能性】
【００３３】
この装置の生産には、既知の構成材料及び一般的な機器を使用することができるので、本発明は、産業上の利用可能性（ＩＡ）の基準に合致するものと考える。
【図面の簡単な説明】
【００３４】
【図１】本発明の腰掛装置の正面図である。
【図２】本発明の腰掛装置の（肘掛けを図示しない）右側面図である。
【図３】本発明の腰掛装置の不等角投影図である。
【図４】背部のない腰掛装置（スツール、ベンチ等）である。
【符号の説明】
【００３５】
１  支持部
２  基部
１２  ブラケット
１４，１５  支持部品
１６  水平軸
８〜１１  アジャスタ
【図１】
2005516709.tif 000003
【図２】
2005516709.tif 000004
【図３】
2005516709.tif 000005
【図４】
2005516709.tif 000006
【国際調査報告】
2005516709.tif 000007
2005516709.tif 000008